(57)【特許請求の範囲】
【請求項１】
スピニングリールのロータアームの先端にベール支持部材を揺動自在に取り付けるためのベール支持部材取付構造であって、
前記ベール支持部材の一端側に設けられ、貫通孔を有するとともに前記ロータアーム先端に取り付けられる取付部と、
前記貫通孔の内周側に挿入されるとともに、前記ロータアームの先端部に回転不能に係止する係止部を有する筒状の回り止め部材と、
前記回り止め部材の内周側を挿通して前記ロータアームに前記ベール支持部材を揺動自在に締結するための締結部材とを備え、
前記締結部材は、少なくとも一部が前記回り止め部材に当接する頭部と、前記ロータアームに形成された雌ネジ部に螺合する雄ネジ部とを有する、スピニングリールのベール支持部材取付構造。
【発明の詳細な説明】
【０００１】
【発明の属する技術分野】
本発明は、ベール支持部材取付構造、特に、スピニングリールのロータアームの先端にベール支持部材を揺動自在に取り付けるためのベール支持部材取付構造に関する。
【０００２】
【従来の技術】
スピニングリールは、ハンドルを有するリール本体と、リール本体の前部に回転自在に支持されているロータと、ロータの前部に前後移動自在に配置されているスプールとを備えている。ロータは、リール本体に回転自在に装着された円筒部と、円筒部の後部に対向して一体で形成された第１及び第２ロータアームを有している。第１及び第２ロータアームの先端にはそれぞれ第１ベール支持部材及び第２ベール支持部材が揺動自在に設けられている。
【０００３】
ここでベール支持部材をロータアームに装着するときは、ベール支持部材の一端側に形成された貫通孔からボルトを挿入し、ロータアームのボス部に形成された雌ネジ部に螺合して両部材を締結している。
【０００４】
【発明が解決しようとする課題】
従来のベール支持部材取付構造では、ベール支持部材はロータアームにボルトによって締結されているだけであるので、締結後はボルトの頭部や胴部の少なくとも一部がベール支持部材の貫通孔の内周側に直接接触している。したがって、ベール支持部材が揺動するときには、ベール支持部材の揺動にともなって接触しているボルトが回転することがある。ボルトが回転するとボルトが緩むことがある。
【０００５】
本発明の課題は、スピニングリールのベール支持部材取付構造において、締結部材を緩みにくくすることにある。
【０００６】
【課題を解決するための手段】
発明１に係るスピニングリールのベール支持部材取付構造は、スピニングリールのロータアームの先端にベール支持部材を揺動自在に取り付けるためのベール支持部材取付構造であって、ベール支持部材の一端側に設けられ、貫通孔を有するとともにロータアーム先端に取り付けられる取付部と、貫通孔の内周側に挿入されるとともに、ロータアームの先端部に回転不能に係止する係止部を有する筒状の回り止め部材と、回り止め部材の内周側を挿通してロータアームにベール支持部材を揺動自在に締結するための締結部材とを備えている。締結部材は、少なくとも一部が回り止め部材に当接する頭部と、ロータアームに形成された雌ネジ部に螺合する雄ネジ部とを有している。
【０００７】
この取付構造では、回り止め部材を取付部と締結部材との間に設けることによって取付部の貫通孔の内周側と締結部材とが互いに接触しなくなる。この回り止め部材はロータアームの先端側に回転不能に係止されているのでベール支持部材が揺動しても回り止め部材が回転しない。したがって締結部材も回転しにくくなるので、締結部材を緩みにくくすることができる。さらに、この場合は、確実に締結できるとともに、従来のボルトを用いることができる。また頭部に六角孔が形成されたボルトを用いれば、その頭部に釣り糸が引っ掛かりにくくなる。
【０００８】
【発明の実施の形態】
図１において、本発明の一実施形態を採用したスピニングリールは、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【０００９】
ハンドル１は、Ｔ字状の把手部１ａと、先端に把手部１ａが回転自在に装着されたＬ字状のクランクアーム１ｂとを有している。クランクアーム１ｂは、基端側においてワンタッチで折れ曲がり可能である。なお、ハンドル１は、図１に示す右位置と、図２に示す左位置との左右どちらの装着位置でもリール本体２に装着可能である。
【００１０】
リール本体２は、側部に開口を有するリールボディ２ａと、リールボディ２ａから斜め上前方に一体で延びるＴ字状の竿取付脚２ｂと、リールボディ２ａの開口を閉塞するための蓋体とを有している。
【００１１】
リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１２】
ロータ駆動機構５は、ハンドル１が回転不能に装着されたハンドル軸１０と、ハンドル軸１０とともに回転するフェースギア１１と、このフェースギア１１に噛み合うピニオンギア１２とを有している。ハンドル軸１０の両端は、軸受を介してリールボディ２ａに回転自在に支持されている。
【００１３】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の略直下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００１４】
ロータ３は、円筒部３０と、円筒部３０の側方に互いに対向して設けられた第１及び第２ロータアーム３１、３２と、釣り糸をスプール４に案内するためのベールアーム４４とを有している。円筒部３０と両ロータアーム３１、３２とは、たとえばアルミニウム合金製であり一体成形されている。ベールアームは、両ロータアーム３１、３２の先端に糸案内姿勢と糸開放姿勢との間で揺動自在に装着されている。
【００１５】
次にベール支持部材取付構造について説明する。
【００１６】
第１ロータアーム３１の先端の外周側には、図３に示すように、ベールアーム４４を構成する第１ベール支持部材４０が揺動自在に装着されている。この第１ベール支持部材４０の一端側には貫通孔４０ａが形成され、貫通孔４０ａの内周側には筒状の回り止め部材５０が挿入されている。さらに、回り止め部材５０の内周側には締結部材５１が挿通されている。この締結部材５１を第１ロータアーム３１の先端部に突出して形成されたボス部３１ａに螺合させることによって、第１ロータアーム３１に第１ベール支持部材４０を揺動自在に締結している。
【００１７】
第１ロータアーム３１のボス部３１ａには、締結部材５１が螺合する雌ネジ部３１ｂと、回り止め部材５０を回転不能に係止するための切欠き部３１ｃとが形成されている。この切欠き部３１ｃは雌ネジ部３１ｂを挟んで対向するように２箇所設けられている。
【００１８】
回り止め部材５０は、締結部材５１に当接する鍔部５０ａと、鍔部５０ａの外径よりも小径で筒状の胴部５０ｂと、胴部５０ｂの先端に突出する係止部５０ｃとを備えている。この係止部５０ｃは、回り止め部材５０をボス部３１ａに回転不能に固定するために切欠き部３１ｃに対応する位置に形成されている。
【００１９】
また締結部材５１は、鍔部５０ａに当接する頭部５１ａと、雌ネジ部３１ｂに螺合する雄ネジ部５１ｂとを有している。この頭部５１ａには工具係止用の六角孔５１ｃが形成されている。また頭部５１ａと雄ネジ部５１ｂの間には、胴部５０ｂに装着するための連結部５１ｄをさらに備えている。
【００２０】
第１ベール支持部材４０は、胴部５０ｂが内挿される貫通孔４０ａと、貫通孔４０ａの内周側の一端に形成され貫通孔４０ａより大径の収納孔４０ｂとを備えている。この収納孔４０ｂは鍔部５０ａ及び頭部５１ａが装着可能となっている。
【００２１】
ここで第１ロータアーム３１に第１ベール支持部材４０を取り付けるには、図４に示すように、まずボス部３１ａの外周面に第１ベール支持部材４０を固定する。そして回り止め部材５０を貫通孔４０ａの挿入し、係止部５０ｃを切欠き部３１ｃに係止する。次に締結部材５１を回り止め部材５０に挿入し、六角孔５１ｃに六角レンチ等を係止し締結部材５１を回転させる。したがって雄ネジ部５１ｂを雌ネジ部３１ｂに螺合させることによって第１ベール支持部材４０は第１ロータアーム３１に締結される。
【００２２】
一方、第１ベール支持部材４０の先端には、釣り糸をスプール４に案内するためのラインローラ４１と、ラインローラ４１を挟んで第１ベール支持部材４０に固定された固定軸カバー４７とが装着されている。ラインローラ４１は、第１ベール支持部材４０の先端に回転自在に装着されている。固定軸カバー４７は、先端がとがった変形円錐形状である。
【００２３】
第２ロータアーム３２の先端内周側には、ベールアーム４４を構成する第２ベール支持部材４２が揺動自在に装着されている。ここで、両ベール支持部材４０、４２は、１本の揺動軸Ｍを中心に揺動自在である。そして揺動軸Ｍと第１ロータアーム３１の第１ベール支持部材取付面とが交差する点を揺動中心Ｃ１とし、揺動軸Ｍと第２ロータアーム３２の第２ベール支持部材取付面とが交差する点を揺動中心Ｃ２とすると、揺動中心Ｃ２は揺動中心Ｃ１に比較して前方側に位置している。すなわち、揺動軸Ｍは回転軸芯Ｘに対して直交しておらずたとえば５度後方に傾いている。また、各ベール支持部材４０、４２は、それらの揺動面が揺動軸Ｍに直交するように配置されている。
【００２４】
固定軸カバー４７の先端部と第２ベール支持部材４２との間には線材を略Ｕ状に湾曲させた形状のベール４３が固定されている。これらの第１及び第２ベール支持部材４０、４２、ラインローラ４１、ベール４３及び固定軸カバー４７により釣り糸をスプール４に案内するベールアーム４４が構成される。
【００２５】
第１ベール支持部材４０の外周側にはカバー４５が装着されており、カバー４５の内部にはベールアーム４４を糸開放姿勢から糸案内姿勢にロータ３の回転に連動して復帰させるとともに、両姿勢でその状態を保持するベール反転機構４６が配置されている。
【００２６】
次にリールの操作及び動作について説明する。
【００２７】
キャスティング時には、ハンドル１を装着した状態でベールアーム４４を糸開放姿勢に反転させる。これにより第１ベール支持部材４０及び第２ベール支持部材４２は揺動する。この状態で釣り竿を握る手の人差し指で釣り糸を引っ掛けながら釣り竿をキャスティングする。すると釣り糸は仕掛けの重さにより勢いよく放出される。この状態でハンドル１をたとえば左手で糸巻取方向に回転させると、ロータ駆動機構５のフェースギア１１及びピニオンギア１２によりロータ３が糸巻取方向に回転し、ベールアーム４４がベール反転機構４６により糸案内姿勢に復帰し釣り糸がスプール４に巻き付けられる。
【００２８】
ここで第１ベール支持部材４０と締結部材５１との間に回り止め部材５０を設けることによって、第１ベール支持部材４０と締結部材５１とが直接接触しなくなる。この回り止め部材５０は第１ロータアーム３１に回転不能に装着されているので、第１ベール支持部材４０が揺動しても回り止め部材５０は回転しない。したがって締結部材５１も回転しにくくなるので、締結部材５１を緩みにくくすることができる。
【００２９】
〔他の実施形態〕
（ａ）  前記実施形態では、回り止め部材５０の鍔部５０ａは締結部材５１の頭部５１ａの下部に接する形状であったが、図５に示すように、鍔部５０ａの上部に筒状部５０ｄを設け、締結部材５１の頭部５１ａの外周部を覆うような形状にしてもよい。
【００３０】
（ｂ）  前記実施形態では、回り止め部材５０を第１ベール支持部材４０側に装着していたが、第２ベール支持部材４２側に装着してもよい。
【００３１】
（ｃ）  前記実施形態では、第１ロータアーム３１の外側に第１ベール支持部材４０が揺動自在に装着されていたが、第１ベール支持部材４０が第１ロータアーム３１の内側に装着されている場合にも本発明は適用可能である。
【００３２】
【発明の効果】
本発明によれば、スピニングリールのベール支持部材取付構造において、回り止め部材をベール支持部材と締結部材の間に装着することによって、ベール支持部材と締結部材とが互いに接触しなくなる。この回り止め部材はロータアームに回転不能に装着されているので、ベール支持部材が揺動しても回り止め部材は回転しない。したがって締結部材も回転しにくくなるので、締結部材を緩みにくくすることができる。
【図面の簡単な説明】
【図１】  本発明の一実施形態によるスピニングリールの右側面図。
【図２】  前記スピニングリールの左側面断面図。
【図３】  ベール支持部材取付構造の拡大断面図。
【図４】  前記ベール支持部材取付構造の斜視分解図。
【図５】  他の実施形態の回り止め部材の斜視図。
【符号の説明】
１  ハンドル
２  リール本体
３  ロータ
４  スプール
５  ロータ制動機構
３１  第１ロータアーム
３１ａ  ボス部
３１ｂ  雌ネジ部
３１ｃ  切欠き部
３２  第２ロータアーム
４０  第１ベール支持部材
４０ａ  貫通孔
４０ｂ  収納孔
４１  ラインローラ
４２  第２ベール支持部材
４３  ベール
４４  ベールアーム
５０  回り止め部材
５０ａ  鍔部
５０ｂ  胴部
５０ｃ  係止部
５０ｄ  筒状部
５１  締結部材
５１ａ  頭部
５１ｂ  雄ネジ部
５１ｃ  六角孔
５１ｄ  連結部
【図１】
0003934260.tif 000002
【図２】
0003934260.tif 000003
【図３】
0003934260.tif 000004
【図４】
0003934260.tif 000005
【図５】
0003934260.tif 000006